(57)【要約】  本発明は、蓋（１４）であって、円形エッジ（１６）及び蓋の取外し可能ゾーン内にオリフィスを形成するのに適するリングを有する、蓋（１４）を備える飲料缶（１２）のための衛生的保護膜（２）に関しており、膜（２）は、重ね合わされ互いに付着される第１及び第２のフィルム（６）を備え、前記膜（２）は、第１のフィルムが蓋（１４）に付着された状態で配設されるように構成され、第２のフィルム（６）は、蓋のオリフィスに対するアクセスを与えるために第１のフィルムから分離可能である。膜は、蓋（１４）を覆うのに適する全体的に円形の中央部分（８）、及び、円形部分からのストリップを形成し、前記蓋のエッジを覆うように適合される外側部分（１０）を有する。【選択図】図２
2019513645.tif 000002
【特許請求の範囲】
【請求項１】
蓋（１４）であって、円形エッジ（１６）及び前記蓋の取外し可能ゾーン（２２）内にオリフィス（２０）を形成するのに適するリング（１８）を有する、蓋（１４）を備える飲料缶（１２）のための衛生的保護膜（２）において、重ね合わされ互いに付着される第１のフィルム（４）及び第２のフィルム（６）を備え、前記第１のフィルム（４）が前記蓋（１４）に付着し、前記第２のフィルム（６）が前記蓋の前記オリフィスに対するアクセスを提供するために前記第１のフィルムから分離可能である状態で配設されるように構成され；前記蓋の前記エッジを覆うのに適する外側部分（１０）を有する、膜（２）であって、前記蓋（１４）を覆うことを意図される全体的に円形の中央部分（８）を有し、前記外側部分（１０）は前記中央部分からのストリップを形成することを特徴とする、膜（２）。
【請求項２】
前記外側部分（１０）は、前記第１及び第２のフィルム（４，６）が互いに付着しないゾーン（２８）を有する遠位端を備えるため、前記第２のフィルム（６）は前記２つのフィルムを分離するためのジッパータブを形成することを特徴とする、請求項１に記載の膜（２）。
【請求項３】
前記第１及び第２のフィルム（４，６）が互いに付着しない前記ゾーン（２８）は、数平方ミリメートル、好ましくは、少なくとも５０ｍｍ２、より好ましくは少なくとも１００ｍｍ２にわたって延在することを特徴とする、請求項２に記載の膜（２）。
【請求項４】
前記外側部分（１０）は、前記蓋（１４）に隣接して、前記缶（１２）の垂直側面（３０）の上側部分を覆うために前記中央部分（６）から２０ｍｍより大きい長さにわたって延在することを特徴とする、請求項１から３のいずれか１項に記載の膜（２）。
【請求項５】
前記第１及び第２のフィルム（４，６）のそれぞれは、１ｍｍ未満の、好ましくは、０．０１ｍｍと０．７５ｍｍとの間の、より好ましくは、０．０５ｍｍと０．５ｍｍとの間の厚さを有することを特徴とする、請求項１から４のいずれか１項に記載の膜（２）。
【請求項６】
前記第１及び第２のフィルム（４，６）は、前記外側部分（１０）に対向する膜（２）の一端に互いに取付けられて、前記第２のフィルム（６）の分離中にヒンジを形成することを特徴とする、請求項１から５のいずれか１項に記載の膜（２）。
【請求項７】
前記第１のフィルム（４）は、前記缶の前記リング（１８）の輪郭にフィットするように構成されるオリフィス（２４）を備えることを特徴とする、請求項１から６のいずれか１項に記載の膜（２）。
【請求項８】
前記第１のフィルム（４）は、前記オリフィス（２４）を形成する、前記蓋の前記取外し可能ゾーン（２２）に対応する弱化又はプリカットライン（２６）を備えることを特徴とする、請求項１から７のいずれか１項に記載の膜（２）。
【請求項９】
蓋（１４）であって、円形エッジ（１６）及び蓋の取外し可能ゾーン（２２）内にオリフィス（２０）を形成するのに適するリング（１８）を有する、蓋（１４）、及び、前記蓋（１４）上に配設される保護膜（２）を備える飲料缶（１２）であって、前記膜は請求項１から８のいずれか１項によることを特徴とする、飲料缶（１２）。
【請求項１０】
前記蓋の前記取外し可能ゾーン（２２）は、前記オリフィス（２０）を形成した後に前記第１のフィルム（４）によって覆われたままであることを特徴とする、請求項９に記載の飲料缶（１２）。
【発明の詳細な説明】
【技術分野】
【０００１】
本発明は、飲料缶用の衛生的保護膜に関する。
【背景技術】
【０００２】
公開された特許文書、国際公開第９９／３７５４６号は、缶の蓋に設置されることを意図される飲料缶用の衛生的保護デバイスを開示する。デバイスは、リング及び開口の周りで缶蓋の部分を覆う下側フィルム部分及び下側部分に重ね合わされ付着される上側フィルム部分を備える。２つの部分は、ヒンジによって相互接続され、上側部分は、ヒンジの周りに缶リムまで旋回させることによって下側部分から分離されることを意図される。下側部分は、缶蓋に取付けられたままであり、したがって、消費者の上唇の軸受表面を形成し、上側部分は下唇の軸受表面を形成する。しかし、デバイスは、缶蓋を完全に保護しない。そのため、消費者が、缶から直接飲む又は飲料を容器内に注ぐとき、飲料は、不衛生なエリアと接触し、汚染される場合がある。更に、上側部分によって形成される衛生的表面は、上側部分によって形成されるリムの両側で飲料の流れに有利であり得る缶リムの形状にフィットしない。傾く上側部分は、また、消費者が、缶から直接飲む又は液体を容器内に注ぐとき、消費者によって維持されなければならない。
【０００３】
公開された特許文書、国際公開第２０１２／０８７１６８号は、飲料缶の上側面及びリムを覆うための衛生的保護膜を開示する。この膜は、相互接続され、分離不能なアルミニウムフィルム及びＰＥＴフィルムからなる。この膜は、缶のオリフィスにアクセスするためのイージー開口部を備えず、また、膜が固着する前に、缶の蓋及びリムが完全に衛生的であることを必要とする。
【０００４】
公開された特許文書、国際公開第２００７／０４３８９０号は、請求項１のプリアンブルによる衛生的保護膜を開示する。
【先行技術文献】
【特許文献】
【０００５】
【特許文献１】国際公開第９９／３７５４６号
【特許文献２】国際公開第２０１２／０８７１６８号
【特許文献３】国際公開第２００７／０４３８９０号
【発明の概要】
【発明が解決しようとする課題】
【０００６】
本発明は、従来技術、より具体的には、上記で述べた従来技術の少なくとも１つの欠点を克服する飲料缶用の衛生的保護膜を提供することを目指す。より詳細には、本発明は、どんな汚染もなく、缶から直接飲む又は飲料をグラスに注ぐことを可能にする飲料缶用の衛生的保護膜を提供することを目指す。本発明は、また、単純かつ経済的な解決策を提供することを目指す。
【課題を解決するための手段】
【０００７】
本発明は、蓋であって、円形エッジ及び蓋の取外し可能ゾーン内にオリフィスを形成するのに適するリングを有する、蓋を備える飲料缶のための衛生的保護膜に関しており、膜は、重ね合わされ互いに付着される第１のフィルム及び第２のフィルムを備え、前記膜は、第１のフィルムが蓋に付着され、第２のフィルムが蓋のオリフィスに対するアクセスを提供するために第１のフィルムから分離可能である状態で配設されるように構成され；膜は、蓋を覆うことを意図される全体的に円形の中央部分、及び、円形部分からのストリップを形成し前記蓋のエッジを覆うのに適する外側部分を有する点で注目に値する。
【０００８】
本発明の有利な実施形態によれば、外側部分は、第１及び第２のフィルムが互いに付着しないゾーンを有する遠位端を備えるため、第２のフィルムは２つのフィルムを分離するためのジッパータブを形成する。
【０００９】
本発明の有利な実施形態によれば、第１及び第２のフィルムが互いに付着しないゾーンは、数平方ミリメートル、好ましくは、少なくとも５０ｍｍ２、より好ましくは少なくとも１００ｍｍ２にわたって延在する。
【００１０】
本発明の有利な実施形態によれば、外側部分は、蓋に隣接して、缶の垂直側面の上側部分を覆うために中央部分から２０ｍｍより大きい長さにわたって延在する。
【００１１】
本発明の有利な実施形態によれば、第１及び第２のフィルムのそれぞれは、１ｍｍ未満の、好ましくは、０．０１ｍｍと０．７５ｍｍとの間の、より好ましくは、０．０５ｍｍと０．５ｍｍとの間の厚さを有する。
【００１２】
本発明の有利な実施形態によれば、第１及び第２のフィルムは、外側部分に対向する前記膜の一端に互いに取付けられて、第２のフィルムの分離中にヒンジを形成する。
【００１３】
本発明の有利な実施形態によれば、第１のフィルムは、缶のリングの輪郭にフィットするように構成されるオリフィスを備える。
【００１４】
本発明の有利な実施形態によれば、第１のフィルムは、オリフィスを形成する蓋の取外し可能ゾーンに対応する弱化又はプリカットラインを備える。
【００１５】
本発明は、また、蓋であって、円形エッジ及び蓋の取外し可能ゾーン内にオリフィスを形成するのに適するリングを有する、蓋、及び、蓋上に配設される保護膜を備える飲料缶に関しており、膜が本発明による点で注目に値する。
【００１６】
本発明の有利な実施形態によれば、蓋の取外し可能ゾーンは、オリフィスを形成した後に第１のフィルムによって覆われたままである。
【発明の効果】
【００１７】
本発明の方策は、膜が、蓋全体の上でまた消費者が自分の唇を置くことになる缶のリムの上で衛生的表面を保証する点で興味深い。２つのフィルムの存在は、缶の蓋及びリムを不衛生環境から隔離し、汚染のリスクが全くない状態で缶との直接接触を可能にすることを可能にする。膜は、どんな汚染をも回避しながら、消費者が、缶から容易に飲むことを又はその内容物を容器内に容易に注ぐことを可能にする缶リムの形状にフィットする。
【図面の簡単な説明】
【００１８】
【図１】上から見た膜の図である。
【図２】缶の上に固定されかつクローズ構成の、本発明による膜を示す図である。
【図３】缶の上に固定されかつオープン構成の、本発明による膜を示す図である。
【図４】第２のフィルムなしで缶の上に固定された膜を示す図であり、缶は、ここではオープン構成である。
【発明を実施するための形態】
【００１９】
図１〜４は、同じスケールではなく、本発明の制限ではなく単に例証として与えられる。
【００２０】
図１は、本発明による膜２を示す。膜２は、重ね合わされ互いに付着される第１のフィルム４及び第２のフィルム６を備え、第２のフィルム６のみが、ここで見える。膜２は、一般に金属でできた飲料缶の蓋の上に配設されるように構成され、第１のフィルム４は缶の蓋に付着され、第２のフィルム６は、蓋のオリフィスに対するアクセスを提供するために第１のフィルムから分離可能である。膜２は、缶の蓋を覆うことを意図される全体的に円形の中央部分８、及び、中央部分からのストリップを形成し缶蓋のエッジを覆うことが可能である外側部分１０を備える。
【００２１】
膜２は、湿気又は熱等の缶の格納条件に直面する膜の完全性を保証する材料で作られる。膜２は、好ましくは、柔軟性のある材料、耐水性がある、引裂きに対して抵抗性がある、またより好ましくは再利用可能である材料で作られる。膜２は、また、膜２がその上に印刷され得る又は書込まれ得る材料で形成されることができる。膜の衛生を保証するために、２つのフィルムは、密閉式に互いに付着されなければならない。２つのフィルム４、６は、例えば、加熱によって互いに付着され得る。２つのフィルムは、好ましくは、それらのエッジに沿って付着される。外側部分１０は、第１及び第２のフィルム４及び６が互いに付着しないゾーン２８を有する遠位端を備えるため、第２のフィルム６は２つのフィルムを分離するためのジッパータブを形成する。ゾーン２８は、数平方ミリメートル、好ましくは、少なくとも５０ｍｍ２、より好ましくは少なくとも１００ｍｍ２にわたって延在する。第１及び第２のフィルム４及び６は、外側部分１０に対向する前記膜２の一端に互いに取付けられて、第２のフィルム６の分離中にヒンジを形成する。
【００２２】
第１のフィルム４は、点線でここに示すオリフィス２４であって、オリフィスを形成するために適合される缶リングの通過を可能にするサイズを有する、オリフィス２４を備え、前記オリフィス２４は、前記リングの輪郭にフィットするように構成される。膜２の第１及び第２のフィルム４及び６はそれぞれ、１ｍｍ未満の、好ましくは、０．０１ｍｍと０．７５ｍｍとの間の、より好ましくは、０．０５ｍｍと０．５ｍｍとの間の厚さを有し、その厚さは、膜が缶の形状にフィットすることを可能にする。
【００２３】
図２は、クローズ構成で、かつ、円形エッジ１６を有する蓋１４を備える缶１２の上に固定された、本発明による膜２を示す。膜２は、第１のフィルムが蓋１４に付着され、第２のフィルム６が蓋１４のオリフィス（見えない）に対するアクセスを与えるために第１のフィルムから分離可能である状態で缶の蓋１４に固定される。第１のフィルムは、例えば、接着材によって蓋１４に付着され得る。膜の中央部分８は、缶１４の蓋全体を覆い、外側部分１０は、蓋１４に隣接して、缶１２の垂直側面３０の上側部分を覆うために中央部分から２０ｍｍより大きい長さにわたって延在する。より詳細には、外側部分１０は、消費者が自分の唇を置くことになる場所に対応する、蓋のオリフィスに隣接する缶の垂直側面３０の上側部分を覆って延在する。蓋及び缶リングは、膜を缶に取付ける前に無菌でなければならない。
【００２４】
図３は、オープン構成で缶１２の蓋の上に固定された膜２を示す。第２のフィルム６は、第１のフィルム４からほぼ完全に分離され、今や、リング１８及び蓋オリフィスを形成する蓋の取外し可能ゾーン２２がアクセスされることができる。第１のフィルム４は、オリフィスを形成する蓋の取外し可能ゾーン２２に対応する弱化又はプリカットライン２６を備えて、缶をオープンするときに第１のフィルムの切取りを容易にする。参照８１及び１０１は、第１のフィルム４の中央部分及び外側部分にそれぞれ対応し、参照８２及び１０２は、第２のフィルム６の中央部分及び外側部分にそれぞれ対応する。
【００２５】
図４は、缶１２の蓋の上に固定された膜を示し、缶は、ここではオープンしている。第２のフィルムは、オリフィス２０を形成する蓋の取外し可能ゾーン２２にアクセスするために第１のフィルム４から完全に分離されている。第１のフィルム４は蓋に付着したままである。缶のリング１８は、傾けられて、ゾーン２２を蓋から取外し、それにより、缶のオリフィス２０を形成する。缶のオリフィス２０を形成した後、蓋の取外し可能ゾーン２２は、缶をオープンする最中に第１のフィルムの切取りを容易にするプリカット又は弱化ラインによって、第１のフィルム４によって覆われ保護されたままである。これは、その後、缶内に含まれる液体が、取外し可能ゾーン２２と直接接触状態になることを防止する。その理由は、缶がオープンされると、前記ゾーンが第１のフィルムによって保護されたままになるからである。
【図１】
2019513645.tif 000003
【図２】
2019513645.tif 000004
【図３】
2019513645.tif 000005
【図４】
2019513645.tif 000006
【国際調査報告】
2019513645.tif 000007
2019513645.tif 000008
2019513645.tif 000009
2019513645.tif 000010